(57)【要約】      （修正有）【課題】一対のマグネットを磁気吸着させることにより、２つの部材間を着脱可能に固定する係着具において、一方の部材が所定の範囲内において横ずれしても、２部材間の係着が安定して維持される係着具を提供する。【解決手段】２つの部材に取り付けた１対のマグネット１，２同士を、これらマグネット間に作用する磁気吸着力によって、およびこの磁気吸着力に抗して係脱することにより、前記２つの部材を着脱できるようにするマグネットによる係着具において、これらのマグネット１，２はいずれも互いに磁着する平坦な磁着面を備え、一方の磁着面の面積を他方の磁着面よりも小ならしめた。【選択図】図２
0003143196.tif 000002
【実用新案登録請求の範囲】
【請求項１】
２つの部材に取り付けた１対のマグネット同士を、これらマグネット間に作用する磁気吸着力によって、およびこの磁気吸着力に抗して係脱することにより、前記２つの部材を着脱できるようにするマグネットによる係着具において、これらのマグネットはいずれも互いに磁着する平坦な磁着面を備え、一方の磁着面の面積を他方の磁着面よりも小ならしめてなるマグネットによる係着具。
【請求項２】
前記２つの部材の一方の部材が固定部材であって、この固定部材に対して他方の部材を着脱する場合、前記一方の部材側のマグネットにおける磁着面の面積を、他方の部材側のマグネットにおける磁着面の面積よりも大としてなる請求項１に記載のマグネットによる係着具。
【請求項３】
前記マグネットは磁着面同士を直接接触させることを特徴とする請求項１、２に記載のマグネットによる係着具。
【考案の詳細な説明】
【技術分野】
【０００１】
本考案は、２つの部材に取り付けた１対のマグネットにより、２つの部材を着脱できるようにするマグネットによる係着具に関する。
【背景技術】
【０００２】
従来、マグネット同士の磁気吸着力を利用した係着具には数多のものがあり、磁気吸着力を利用して巻尺を使用者の腰ベルトに着脱可能に保持させるようにしたものがある（例えば、特許文献１）。
【０００３】
また、出願人は図７（ａ）および同（ｂ）に示すように、巻尺の測定テープ１５先端のつまみ片１６に設けたマグネット１７とケース１３の測定テープ出入口１３ａ近傍に設けたマグネット１４とを磁気吸着させてつまみ片１６を測定テープ出入口１３ａ近傍のケース１３の外周部に固定できるようにしたものを別途開発している。
【０００４】
しかしながら、図７に示されるものの磁気による係着具は、互いのマグネットによる磁気吸着によって測定テープ出入口近傍のケース上に係着している測定テープ先端のつまみ片が外力等の何らかの原因で横ずれして、互いのマグネットによる磁気吸着面の一部が外れてしまうと磁気吸着力の低下からつまみ片が外れやすくなる欠点があった。
【０００５】
【特許文献１】特開２００６−９０７２９号公報
【考案の開示】
【考案が解決しようとする課題】
【０００６】
本考案は、一方の部材におけるマグネットが何らかの原因で所定の範囲内において横ずれしても、他方の部材にしっかりと固定しておくことができる係着具を提供できるようにした。
【課題を解決するための手段】
【０００７】
上述した課題を解決するために、本考案に係るマグネットによる保持具は、２つの部材に取り付けた１対のマグネット同士を、これらマグネット間に作用する磁気吸着力によって、およびこの磁気吸着力に抗して係脱することにより、前記２つの部材を着脱できるようにするマグネットによる係着具において、これらのマグネットはいずれも互いに磁着する平坦な磁着面を備え、一方の磁着面の面積を他方の磁着面よりも小ならしめてなるものとしてある。
【０００８】
また前記２つの部材の一方の部材が固定部材であって、この固定部材に対して他方の部材を着脱する場合、前記一方の部材側のマグネットにおける磁着面の面積を、他方の部材側のマグネットにおける磁着面の面積よりも大としてなるものとしてある。
【０００９】
そして前記マグネットは磁着面同士を直接接触させることを特徴とするものとしてある。
【考案の効果】
【００１０】
本考案の係着具によれば、一方の部材に設けるマグネットの磁着面の面積を、他方の部材に設けるマグネットの磁着面の面積に対して大となるようにしているので、互いの磁着面を磁気吸着させて一方の部材上に固定する他方の部材が何らかの原因によって所定の範囲内において横ずれしても、この横ずれした部材に設けたマグネットが他方の部材に設けたマグネットの磁着面から所定の範囲内において外れないため、互いのマグネットによる磁気吸着力が低下しにくく、また、横ずれした側のマグネットが他方のマグネットからはみ出して、他の部材との接触によって脱落する可能性が小となり、したがってマグネット間の磁気吸着力が十分に作用した状態を保つことができ、しかも互いの磁気吸着力によって横ずれした部材のマグネットに自己復帰作用が生じ、上記横ずれを自動補正することができる。
【００１１】
すなわち、本考案に係る係着具を巻尺における測定テープ先端のつまみ片とケースとの間の固定に利用した場合には、固定部材たるケースのマグネットに対し、測定テープ先端のつまみ片のマグネットが何らかの原因により所定の範囲内において横ずれしても、この横ずれしたつまみ片に設けているマグネットの磁着面の面積よりもケースに設けているマグネットの磁着面の面積が大なので、互いのマグネットによる磁気吸着力が低下しにくく、したがってつまみ片をケースにしっかりと固定しておくことができ、かつ互いの磁気吸着力によって横ずれしたつまみ片に設けているマグネットに自己復帰作用が生じるので、つまみ片の横ずれを自動補正することができる。
【考案を実施するための最良の形態】
【００１２】
本考案に係る係着具は、図１に示すように、マグネットの平坦な磁着面、すなわち互いに磁着させる面の面積が大小異なる１対のマグネット１、２により構成されている。
【００１３】
そして、磁着面の面積が大なる側のマグネット１を固定部材側に配置して、磁着面の面積が小なる側のマグネット２を上記固定部材に取り付けられる側の部材に配置するようにしてあって、これらマグネット１、２の磁着面が直接接触するように構成してある。
【００１４】
上述のようにマグネット１、２の磁着面の面積を大小異ならしめた関係とすると、図２（ａ）に示すように、マグネット１、２が互いの磁着面の中心どうしを接して安定して吸着している状態から、同図２（ｂ）のように所定の範囲内（例えば、マグネット２がマグネット１からはみ出さない範囲内）において横ずれしても、マグネット１、２間の接触面積は変化せずに互いの磁気吸着力があまり低下することなく維持され、しかも横ずれしたマグネット２は、マグネット１と互いの中心が接触する図２（ａ）の状態に戻ろうとする図２（ｂ）中の実線矢印で示す方向の自己復帰作用が生じるので、横ずれが解消されて初期の磁気吸着位置に自動補正される。
なお、このような自己復帰作用は、マグネット１、２が互いの磁束密度が最も大である位置に安定しようとする作用によるものと考えられる。
【００１５】
上述した実施例ではマグネット１、２の平面投影形状を円形にしているが、他の形状例えば四角形等の多角形にする場合もあるし、マグネット１、２が取り付けられる部材の形態、仕様等によってそれぞれを異なる形状にする場合もある。
【００１６】
また図３〜５は、本考案に係る係着具を利用した巻尺の具体例を示していて、固定部材たるケース３の測定テープ出入口３ａの上方位置にマグネット１を配設して、このマグネット１よりも磁着面を小とするマグネット２を測定テープ４先端のつまみ片５の上面に設けてある。
【００１７】
このような構成の巻尺の場合、つまみ片５のマグネット２がケース３側のマグネット１に対して何らかの外力によって横ずれしてもつまみ片が確実にケースに係止され、またそのずれは自己復帰力によって解消される。
【００１８】
さらに図６は、本考案に係る係着具を用いてなる巻尺用ベルトクリップを示していて、固定部材たるクリップ本体７の前面に設けた枠体１０内にマグネット１を設け、上記クリップ本体７に着脱可能に取り付けられる巻尺１１の磁気吸着部１２にマグネット２設けてある。
【００１９】
このような構成のベルトクリップでは、磁気吸着部１２のマグネット２がクリップ本体７のマグネット１に対して何らかの外力によって横ずれしても磁気吸着部１２がクリップ本体７に確実に係止され、またそのずれは自己復帰力によって解消される。
【００２０】
なお、図６図中の符号６は、使用者が身に付ける腰ベルト、符号８は、同腰ベルト６に係着するためのクリップ片、符号９は、クリップ片８の下方に設けている腰ベルト６の抜け止めである。
【００２１】
上述した本考案の係着具の使用例は、巻尺および巻尺用のベルトクリップについてのものであるが、本考案の係着具は巻尺以外の他の物品にも広く利用することができる。
【図面の簡単な説明】
【００２２】
【図１】本考案に係る係着具のマグネットの形態を示す斜視図。
【図２】マグネットどうしの磁気吸着状態を示す斜視図。
【図３】本考案に係る係着具を備える巻尺の測定テープを引き出した状態の側面図。
【図４】本考案に係る係着具を備える巻尺の測定テープをケース内に収容した状態の側面図。
【図５】図４の要部拡大側面図。
【図６】本考案に係る係着具を備える巻尺用ベルトクリップの使用状態を示す一部断面図。
【図７】従来の係着具を備える巻尺の一例を示す側面図。
【符号の説明】
【００２３】
１  マグネット
２  マグネット
３  ケース
３ａ  測定テープ出入口
４  測定テープ
５  つまみ片
６  腰ベルト
７  クリップ本体
８  クリップ片
９  抜け止め
１０  枠体
１１  巻尺
１２  磁気吸着部
【図１】
0003143196.tif 000003
【図２】
0003143196.tif 000004
【図３】
0003143196.tif 000005
【図４】
0003143196.tif 000006
【図５】
0003143196.tif 000007
【図６】
0003143196.tif 000008
【図７】
0003143196.tif 000009